(57)【要約】      （修正有）【課題】産卵床に産み付けられたメダカの卵のカビを防ぐ産卵床の提供。【解決手段】メダカ用産卵床は銀または銀化合物を含有する繊維を含む不織布からなる。例えば、産卵床１は複数の短冊形の不織布１１が長手方向の一端で束ねられて、束ねられた側を基端部１２とする本体１０が形成され、前記本体１０の基端部１２に浮き２０が取り付けられている。【選択図】図１
2018042490.tif 000002
【特許請求の範囲】
【請求項１】
銀または銀化合物を含有する繊維を含む不織布からなること特徴とするメダカ用産卵床。
【請求項２】
複数の短冊形の不織布が長手方向の一端で束ねられて、束ねられた側を基端部とする本体が形成され、前記本体の基端部に浮きが取り付けられている請求項１に記載のメダカ用産卵床。
【請求項３】
前記不織布中の銀含有率が５０ｐｐｍ〜２５００ｐｐｍである請求項１または２に記載のメダカ用産卵床。
【請求項４】
前記不織布の硬さが下記に示す方法で測定されるたわみ量として５ｃｍ以下である請求項１〜３のうちのいずれか１項に記載のメダカ用産卵床。
（たわみ量の測定方法）
測定に十分な高さを有する水平な測定台の上に、幅２．５ｃｍ、長さ２５ｃｍの短冊状とした不織布を、長手方向に前記測定台の先端から１０ｃｍ突出するように設置した時の、測定台上面の高さと下方にたわんだ不織布の最下端の高さとの差を測定し、この差をたわみ量とする。
。
【発明の詳細な説明】
【技術分野】
【０００１】
本発明はメダカの繁殖に用いる産卵床に関する。
【背景技術】
【０００２】
メダカを繁殖させる際の産卵床として、ホテイアオイ等の水草、シュロ皮等の天然素材を束ねた物、合成樹脂製の織物やネット等の人工素材を種々の形状に造形した物が使用されている（特許文献１、２）。
【先行技術文献】
【特許文献】
【０００３】
【特許文献１】実用新案登録第３２００３９０号公報
【特許文献２】特許第５１１１３１８号公報
【発明の概要】
【発明が解決しようとする課題】
【０００４】
メダカは水草に卵を産み付ける習性があるので、水槽内での繁殖においても水草は産卵床に適している。しかし、水草の生育管理が必要であるし、水草の生育状態が悪化すると産卵床として機能しなくなる。また、メダカの卵はカビが発生し易く、カビが生えた卵は孵化せずに死滅する。一方、シュロ皮や人工素材による産卵床は生育管理が要らないが、カビの発生を防ぐことはできない、
【課題を解決するための手段】
【０００５】
本発明は、上述した背景技術に鑑み、産み付けた卵のカビ発生を抑制できるメダカ用産卵床の提供を目的とする。
【０００６】
即ち、本発明は下記［１］〜［４］に記載の構成を有する。
【０００７】
［１］銀または銀化合物を含有する繊維を含む不織布からなること特徴とするメダカ用産卵床。
【０００８】
［２］複数の短冊形の不織布が長手方向の一端で束ねられて、束ねられた側を基端部とする本体が形成され、前記本体の基端部に浮きが取り付けられている前項１に記載のメダカ用産卵床。
【０００９】
［３］前記不織布中の銀含有率が５０ｐｐｍ〜２５００ｐｐｍである前項１または２に記載のメダカ用産卵床。
【００１０】
［４］前記不織布の硬さが下記に示す方法で測定されるたわみ量として５ｃｍ以下であることを特徴とする前項１〜３のうちのいずれか１項に記載のメダカ用産卵床。
【００１１】
（たわみ量の測定方法）
測定に十分な高さを有する水平な測定台の上に、幅２．５ｃｍ、長さ２５ｃｍの短冊状とした不織布を、長手方向に前記測定台の先端から１０ｃｍ突出するように設置した時の、測定台上面の高さと下方にたわんだ不織布の最下端の高さとの差を測定し、この差をたわみ量とする。
【発明の効果】
【００１２】
上記［１］に記載のメダカ用産卵床によれば、不織布に含まれている銀の抗菌作用によって、産み付けられた卵へのカビの発生が抑制され、ひいては卵の孵化率を高めることができる。
【００１３】
上記［２］に記載のメダカ用産卵床は、短冊形の本体を浮きによって水面近くに浮かべることができ、メダカの産卵習性に適合した形状である。また、浮きを摘まんで産卵床を引き上げれば本体および卵に手を触れずに産卵床を移動させることができ、移動時の卵の脱落を防止できる。
【００１４】
上記［３］に記載のメダカ用産卵床によれば、十分なカビ抑制効果が得られ、かつ材料コストが抑えられる。
【００１５】
上記［４］に記載のメダカ用産卵床は、不織布の硬さがたわみ量として５ｃｍ以下であるからメダカが卵を産み付け易い。
【図面の簡単な説明】
【００１６】
【図１】本発明のメダカ用産卵床の斜視図である。
【図２】図１のメダカ用産卵床の本体の分解斜視図である。
【図３】図１のメダカ用産卵床を水に浮かべた状態を示す正面図である。
【発明を実施するための形態】
【００１７】
図１に本発明のメダカ用産卵床の一実施形態を示す。
【００１８】
メダカ用産卵床１は、メダカが産卵する本部１０と本体１０を安定した姿勢で浮かべるための浮き２０を備えている。
【００１９】
前記本体部１０は後述する銀または銀化合物を含有する繊維（以下、銀含有繊維という）を含む不織布からなり、複数の短冊１１が長手方向の一端で束ねられて基端部１２となされている。前記本体１０は、図２に示すように、四角形の不織布の一辺から対向辺に向かって所定間隔で複数の切り込み１３を入れ、対向辺側の一部を切り残すことで複数の短冊１１がつなげておき、この部分を巻くことによって作製できる。四角形の切り残した部分が本体１０の基端部１２となる。また、切り込みを入れた不織布をきつく巻いて基端部１２を形成することにより、短冊１１の先端が放射状に広がった円錐形の本体１０を作製できる。
【００２０】
また、長さの異なる短冊を混在させる場合でも、同じ方法で１枚の不織布で複数の短冊を有する本体を作製できる。例えば、切り込み１３を入れる辺が傾斜した四角形の不織布を用いると、長さの異なる複数の短冊を作製できる。なお、複数の短冊１１を束ねる方法は上記の方法に限定されない。
【００２１】
前記浮き２０は発泡樹脂からなり、中心に孔２１を有する円盤形である。
【００２２】
前記メダカ用産卵床１は、本体１０の基端部１２を浮き２０の孔２１に挿入することによって組み立てられる。
【００２３】
図３に示すように、前記メダカ用産卵床１を水槽に入れると、浮き２０を上にして水中で本体１０の短冊１１が下に向かって広がる姿勢で浮かぶ。前記メダカ用産卵床１は浮き２０によって十分な浮力を受けるので、本体１０が横倒しにならず安定した浮揚姿勢をとる。浮揚姿勢が安定していることはメダカの産卵床として好ましい条件であり、メダカは短冊１１に卵を産みつける。前記本体１０の近傍の水は不織布に含まれている銀の抗菌作用によって除菌されるので、産み付けられた卵はカビの発生が抑制され、ひいては卵の孵化率を高めることができる。また、前記産卵床１に産み付けられた卵を孵化用水槽に移す場合は、浮き２０を摘まんで引き上げれば本体１０および卵に手を触れずに移動させることができ、移動時の卵の脱落を防止できる。
【００２４】
なお、浮き２０のかさ比重を変更することによって、浮きが上、本体が下となる姿勢で水中に沈めることもできるが、水に触れずに産卵床を引き上げるには、浮きの少なくとも一部が水面から出ていることが好ましい。
【００２５】
［不織布］
前記不織布は、銀含有繊維をシート状に成形したものである。不織布は織生地や編み生地よりも厚く成形し易く、産卵床の材料に適している。
【００２６】
不織布中の銀含有率は５０ｐｐｍ〜２５００ｐｐｍが好ましい。５０ｐｐｍ未満ではカビの発生を抑制する効果が小さく、５０ｐｐｍで十分な効果が得られるので、それを超えて多量の銀を含有させることはコスト面で不利である。銀含有率を２５００ｐｐｍ以下とすることで材料コストが抑えられる。さらに好ましい銀含有率は１００ｐｐｍ〜２０００ｐｐｍであり、特に好ましくは２００ｐｐｍ〜１８００ｐｐｍである。
【００２７】
繊維に銀または銀化合物を含有させる方法は限定されないが、材料樹脂に銀または銀化合物もしくはこれらを担持させたゼオライト等を練り込んで繊維を形成する方法や銀イオンとして繊維にイオン結合させる方法、イオンとして繊維に含有させた銀を化学反応により繊維中で難溶性させる方法が好ましく、銀を安定して含有させることができる。また、不織布を構成する全ての繊維が銀または銀化合物を含有していることは要さず、不織布全体で所定の銀含有率となるように銀含有繊維と非含有繊維とを混合して不織布を形成することもできる。銀含有繊維は製造コストが高いので、銀含有繊維と非含有繊維を混合して不織布を作製する方がコスト面で有利である。また、銀含有繊維と非含有繊維が均一に混合されていれば、不織布内で銀が偏在することなく均一に分布させることができる。
【００２８】
前記銀含有繊維のベースとなる繊維および非含有繊維種類としては不織布に加工できるものであれば限定されず、公用されている天然繊維、有機繊維、半合成繊維、合成繊維などが挙げられ、例えば、アクリル繊維、アクリル系繊維、ポリエステル、ナイロン、レーヨン、綿、麻、絹、羊毛等を適宜用いることができる。また、２種以上の繊維を混合して不織布を作製することもでき、例えば、銀含有アクリル繊維と銀を含有しないポリエステル繊維を混合して不織布を作製することができる。
【００２９】
また、不織布は適度にハリがあって水中で揺らがない方がメダカが卵を産み付けやすい。このため、不織布の硬さは下記に示す方法で測定されるたわみ量として５ｃｍ以下であるものが好ましい。
【００３０】
（たわみ量の測定方法）
測定に十分な高さを有する水平な測定台の上に、幅２．５ｃｍ、長さ２５ｃｍの短冊状とした不織布を、長手方向に前記測定台の先端から１０ｃｍ突出するように設置した時の、測定台上面の高さと下方にたわんだ不織布の最下端の高さとの差を測定し、この差をたわみ量とする。
【００３１】
また、薄い不織布よりも厚さが２ｍｍ〜１０ｍｍの厚みのあるものが好ましい。さらに、複数の短冊１１を束ねた本体１０の形状は、メダカが好む水草の根に似ておりメダカの習性に適合している。短冊１１の幅、長さ、数は限定されないが、幅は５〜１５ｍｍ、長さは５０ｍｍ〜１００ｍｍ、数は５本〜１５本が好ましい。
【００３２】
［浮き］
浮き２０の形状および素材は限定されない。本体１０を水面近くに浮かべる浮力を有していればよく、上述した発泡樹脂の他、中空体を用いることもできる。
【００３３】
［産卵床の形状］
産卵床の本体の形状は短冊形に限定されず、ブロックやリング形の産卵床も本発明に含まれる。本体に浮きが取り付けられていることにも限定されない。また、浮きの代わりに本体に錘を取り付けて水中または水底に沈めるようにすることもできる。浮きおよび錘の取付方法にも限定されない。例えば、浮きまたは錘に本体を巻き付けてもよい。
【実施例】
【００３４】
図１に示す形状の産卵床１を銀含有率の異なる不織布を用いて作製した。実施例１〜３および比較例の産卵床１は、不織布中の銀含有率を除いて共通である。なお、銀含有率は原子吸光分析により求めることができる。
【００３５】
本体１０の材料は、銀含有アクリル繊維（日本エクスラン工業株式会社製  銀世界（登録商標））と銀を含まないポリエステル繊維とを混合した厚さ５ｍｍの不織布であり、銀含有アクリル繊維とポリエステル繊維の混合率を変えることにより不織布中の銀含有率を調節した。表１に、２種の繊維の混合率、不織布中の銀含有率および不織布のたわみ量を示す。
【００３６】
前記不織布は、図２に示すように、１０ｍｍ間隔で切り込み１３を入れて１０本の短冊１１を形成し、切り込み１３の無い端部を巻いて基端部１２を形成し、これを本体１０とした。
【００３７】
浮き２０は発泡樹脂製の厚さ１７ｍｍ×直径６５ｍｍの円盤形であり、中心に直径２０ｍｍの孔２１が設けられている。
【００３８】
前記浮き２０の孔２１に本体１０の基端部１２を挿入して産卵床１を組み立てた。前記短冊１１の浮き２０から出ている部分の長さは５０ｍｍ〜１００ｍｍである。
【００３９】
［産卵試験］
実施例１〜３および比較例の産卵床１を水量１０リットルの屋外水槽に浮かべた。前記水槽内にヒメダカのオス５匹とメス５匹を入れ、メダカの産卵試験を行った。試験中の水温は２５℃〜３５℃である。
【００４０】
各例ともに、飼育開始から１〜３日後にメダカは産卵床１の短冊１１に卵を産み付けた。卵が産み付けられた産卵床１は親メダカのいない室内水槽に移し、水温２４℃に環境管理を行って孵化させた。室内水槽に移して７日間観察し、その間のカビの発生状況を調べた。また、実施例１および比較例の産卵床１に付いた産卵数Ａと孵化数Ｂとから孵化率を計算した。結果を表１に示す。
【００４１】
【表１】
2018042490.tif 000003
【００４２】
表１に示したように、不織布に銀を含有させることでカビの発生を防ぎ、孵化率が高まることを確認した。
【産業上の利用可能性】
【００４３】
本発明の産卵床はメダカの繁殖に利用できる。
【符号の説明】
【００４４】
１…メダカ用産卵床
１０…本体
１１…短冊
１２…基端部
２０…浮き
【図１】
2018042490.tif 000004
【図２】
2018042490.tif 000005
【図３】
2018042490.tif 000006